(57)【特許請求の範囲】
【請求項１】
ボックスと、ボックス上を被覆して前記ボックスを密閉するカバーとを備える密閉箱において、前記ボックスが、上方へ開口する収容キャビティと、前記収容キャビティの両側にそれぞれ位置する２つの側壁とを有し、各前記側壁の外側に前後方向に沿って延在するスライド溝が設けられた密閉箱であって、
前記カバーを前記ボックスに対してスライド可能に接続するロック機構をさらに備え、
前記ロック機構は、前記スライド溝に沿ってスライド可能である押出部材と、前記押出部材に対して回転可能に取り付けられ、且つ前記カバー内に一部が収容された連接棒とを有し、
前記連接棒は、前記収容キャビティが外部に露出するように、前記押出部材の働きで前記カバーを上方へ持ち上げ且つ後方へ押し出すことを特徴とする密閉箱。
【請求項２】
前記押出部材は、前記ボックスの一方側の上に位置するボディと、ボディの両側から下方へ延在する２つのハンギングウォールとを有し、前記ボディ上に上方へ突起する押手部が設けられ、前記押手部が上方へ前記カバーを通り抜けて外部に露出することを特徴とする請求項１に記載の密閉箱。
【請求項３】
各前記ハンギングウォール上には、前記ハンギングウォールを貫通し、逆Ｌ型のように互いに連通する案内溝および位置制限溝が設けられ、前記位置制限溝が上下に延在し、前記案内溝が前後に延在しており、
前記連接棒は、前記カバー内に収容された支持棒と、支持棒の両側から垂直に延在してから前記支持棒と平行に延在する２つのバネ付勢ロッドとを有し、各前記バネ付勢ロッドの前記支持棒と平行に延在する部分が前記ハンギングウォールの前記案内溝を貫通し、
前記押手部が後方へ押されて前記押出部材が全体として後方へ移動するとき、前記バネ付勢ロッドが前記案内溝内を前記位置制限溝まで移動し、前記バネ付勢ロッドは、前記支持棒が前記カバーを上方へ持ち上げるように前記支持棒を上方へ移動させることを特徴とする請求項２に記載の密閉箱。
【請求項４】
前記位置制限溝のトップが前記案内溝の先端に連通していることを特徴とする請求項３に記載の密閉箱。
【請求項５】
前記ロック機構は、前後方向に沿って前記スライド溝内でスライド可能なスライド部材をさらに有し、前記スライド部材は、前記位置制限溝を貫通した第１プーリーホイールと、前記案内溝を貫通した前記バネ付勢ロッドが回転可能に取り付けられた第２プーリーホイールとを有し、前記第２プーリーホイールは、前記第１プーリーホイールに対して反時計回りに回転可能であることを特徴とする請求項４に記載の密閉箱。
【請求項６】
前記第１プーリーホイールは、前記スライド溝内でスライド可能な前方方向決めローラと、前記前方方向決めローラの外側に位置する固定輪と、前記前方方向決めローラの軸心および前記固定輪の軸心を貫通する第１シャフトとを有し、前記前方方向決めローラと前記固定輪とが間隔をあけて配置され両者間に係止部が形成されていることを特徴とする請求項５に記載の密閉箱。
【請求項７】
前記第２プーリーホイールは、従動ローラと、前記従動ローラを貫通する軸キャビティとを有し、前記従動ローラのエッジが前記係止部内に係止され、前記バネ付勢ロッドの末端が前記軸キャビティ内に収容されていることを特徴とする請求項５に記載の密閉箱。
【請求項８】
前記カバーは、ボックスカバーと、前記ボックスカバーの上に取り付けられるトップカバーとを有し、前記トップカバーと前記ボックスカバーとの間に、前記支持棒が上下に移動可能な位置制限スペースが設けられていることを特徴とする請求項３に記載の密閉箱。
【請求項９】
前記ボックスカバーの前記トップカバーへ向かう側には、上方へ突起する複数の固定柱が設けられ、前記固定柱が前後に並んで、前記支持棒を前記位置制限スペース内で前後方向に沿うように位置制限させることを特徴とする請求項８に記載の密閉箱。
【発明の詳細な説明】
【技術分野】
【０００１】
本発明は、密閉箱に関し、特にロック機構を有する密閉箱に関する。
【背景技術】
【０００２】
現在、市販されている密閉箱は、実際の応用に２つの問題が存在するため、ユーザへ不便や雑音をもたらす。第１問題は、ロック及びアンロックが１つの動作で完了できないことである。現在市販の密閉箱のロック方式によれば、アンロック手順において、一番目の動作として、反転することやボタンを下へ押すことでロックされた装置を解除し、二番目の動作として、引っ張り、押し、あるいは上方へ持ち上げることで完全に開放させて物を取る。逆のロック手順も同様に、先に引き出しや蓋を引っ張り、押しあるいは下へ閉じて、次に反転することや下へボタンを押すことで装置をロックする。第２問題は、雑音である。アンロック手順において反転することや下へボタンを押すことでロック動作を解除するため、密閉箱自身および密閉箱を固定する装置との間に雑音が発生する。上記２つの問題は、ユーザへ良くない体験をもたらす。それとともに、機構が反転するためのスペースへの位置退避を必要とするため、引き出しの有効容積を損なってしまう。
したがって、改良型の密閉箱を設計して上記問題を解決する必要が生じる。
【発明の概要】
【発明が解決しようとする課題】
【０００３】
本発明の目的は、アンロックと同時に開放させることができる密閉箱を提供することにある。
【課題を解決するための手段】
【０００４】
上記目的を果たすために、本発明は、下記の解決手段を講じる。ボックスと、ボックス上を被覆して前記ボックスを密閉するカバーとを備える密閉箱において、前記ボックスが、上方へ開口する収容キャビティと、前記収容キャビティの両側にそれぞれ位置する２つの側壁とを有し、各前記側壁の外側に前後方向に沿って延在するスライド溝が設けられる密閉箱であって、前記カバーと前記ボックスとをスライド接続するロック機構をさらに備え、前記ロック機構は、前記スライド溝内にスライド固定される押出部材（Ｐｕｓｈｉｎｇ  Ｍｅｍｂｅｒ）と、前記押出部材上に回転固定され、且つ前記カバー内に取り付けられる連接棒とを有し、前記連接棒は、前記収容キャビティが外部に露出するように、前記押出部材の働きで前記カバーを上方へ持ち上げ且つ後方へ押し出す。
【０００５】
本発明のより好ましい解決手段として、前記押出部材は、前記ボックスの一方側の上に位置するボディと、ボディの両側から下方へ延在する２つのハンギングウォールとを有し、前記ボディ上に上方へ突起する押手部が設けられ、前記押手部が上方へ前記カバーを通り抜けて外部に露出する。
【０００６】
本発明のより好ましい解決手段として、前記連接棒は、前記カバー内に収容される支持棒と、支持棒の両側から垂直に延在する２つのバネ付勢ロッド(ear rod)とを有し、各前記バネ付勢ロッドが前記ハンギングウォール上に取り付けられ、前記押出部材が全体として後方へ移動するとき、前記ハンギングウォールが後方へ前記バネ付勢ロッドをプッシュし、前記バネ付勢ロッドは、前記支持棒が前記カバーを上方へ持ち上げるように前記支持棒を上方へ移動させる。
【０００７】
本発明のより好ましい解決手段として、各前記ハンギングウォール上には、逆Ｌ型のように連通する案内溝および位置制限溝が設けられ、前記位置制限溝が上下に延在して前記ハンギングウォールを貫通し、前記案内溝が前後に延在して前記ハンギングウォールを貫通する。
【０００８】
本発明のより好ましい解決手段として、前記位置制限溝のトップが前記案内溝の先端に連通している。
【０００９】
本発明のより好ましい解決手段として、前記ロック機構は、前後方向に沿って前記スライド溝内でスライド可能なスライド部材をさらに有し、前記スライド部材は、前記位置制限溝上に取り付けられる第１プーリーホイールと、前記案内溝上に取り付けられる第２プーリーホイールとを有し、前記第２プーリーホイールは、前記第１プーリーホイールに対して反時計回りに回転可能である。
【００１０】
本発明のより好ましい解決手段として、前記第１プーリーホイールは、前記スライド溝内でスライド可能な前方方向決めローラと、前記前方方向決めローラの外側に位置する固定輪と、前記前方方向決めローラの軸心および前記固定輪の軸心を貫通する第１シャフトとを有し、前記前方方向決めローラと前記固定輪とが間隔をあけて係止部を形成する。
【００１１】
本発明のより好ましい解決手段として、前記第２プーリーホイールは、従動ローラと、前記従動ローラを貫通する軸キャビティとを有し、前記従動ローラのエッジが前記係止部内に係止され、前記バネ付勢ロッドの末端が前記軸キャビティ内に収容される。
【００１２】
本発明のより好ましい解決手段として、前記カバーは、ボックスカバーと、前記ボックスカバーの上に取り付けられるトップカバーとを有し、前記トップカバーと前記ボックスカバーとの間に、前記支持棒が上下に移動可能な位置制限スペースが配置される。
【００１３】
本発明のより好ましい解決手段として、前記ボックスカバーの前記トップカバーへ向かう側には、上方へ突起する複数の固定柱が設けられ、前記固定柱が前後に並んで、前記支持棒を前記位置制限スペース内で前後方向に沿うように位置制限させる。
【発明の効果】
【００１４】
従来技術よりも、本発明の密閉箱では、カバーとボックスとの間にロック機構を設け、前記ロック機構がボックスの上にスライド固定される押出部材と押出部材上に回転固定され且つカバー内に取り付けられる連接棒とを有し、前記連接棒が前記押出部材の働きで回転するとともに、上方および後方へ前記カバーを押し出して、前記カバーが前記ボックスから離脱して前記密閉箱を開放させる。こうして、本発明の密閉箱では、後方へ押し出す動作（１つの動作）のみで、前記密閉箱をアンロックおよび開放させる効果を奏することができる。また、前記密閉箱を冷蔵庫の引き出しとする場合、カバーの反転なしで冷蔵庫の引き出しを開放可能であるため、カバーの反転に必要な反転スペースも節約され、冷蔵庫の引き出しの有効容積が確保される。
【図面の簡単な説明】
【００１５】
【図１】本発明における冷蔵庫引き出しの構造を示す立体模式図である。
【図２】本発明の第１実施形態における密閉箱の立体模式図である。
【図３】本発明の第１実施形態における密閉箱の部分分解模式図である。
【図４】本発明の第１実施形態における密閉箱のさらなる部分分解模式図である。
【図５】本発明の第１実施形態における密閉箱のさらなる部分分解模式図である。
【図６】本発明の第１実施形態における密閉箱の立体分解模式図である。
【図７】本発明の第１実施形態における密閉箱の図２のＡ−Ａ線の方向に沿った断面模式図である。
【図８】本発明の第１実施形態における密閉箱において、図７のカバーの前端を持ち上げる際の断面模式図である。
【図９】本発明の第１実施形態における密閉箱のカバーが箱体の後方へスライドした立体模式図である。
【図１０】本発明の第２実施形態における密閉箱の立体分解模式図である。
【図１１】本発明の第１実施形態の密閉箱に基づいて、密閉箱のカバーと冷蔵庫の内箱との間に仕切り板を追加して形成された密閉箱ユニットの第１実施形態の立体模式図である。
【図１２】本発明に係る密閉箱ユニットの第１実施形態の部分立体分解模式図である。
【図１３】本発明に係る密閉箱ユニットの第１実施形態の仕切り板及び阻止部材の立体分解模式図である。
【図１４】本発明に係る密閉箱ユニットの第２実施形態の立体模式図である。
【図１５】本発明に係る密閉箱ユニットの第２実施形態の部分分解模式図である。
【図１６】本発明に係る密閉箱ユニットの図１４におけるＢ−Ｂ線に沿った断面模式図である。
【図１７】図１６における、破線内の局部の拡大図である。
【図１８】本発明に係る密閉箱ユニットの第３実施形態の立体模式図である。
【図１９】本発明に係る密閉箱ユニットの第３実施形態における一部の仕切り板及び阻止部材の立体分解模式図である。
【図２０】本発明に係る密閉箱ユニットの図１８におけるＣ−Ｃ線に沿った断面模式図である。
【図２１】本発明に係る密閉箱ユニットの第３実施形態の別の角度から見た部分分解模式図である。
【発明を実施するための形態】
【００１６】
図１および図２に示すように、本発明は、冷蔵庫引き出し９００を開示する。前記冷蔵庫引き出し９００は、パネル９１と、ボックス１と、前記パネル９１および前記ボックス１を一緒に固定する固定軸（符号付せず）と、ボックス１の底部の両側に取り付けられるスライドレール９２とを有する。前記スライドレール９２は、前記ボックス１が冷蔵庫内箱（図示せず）に対して前方または後方へスライドするように供される。
【００１７】
前記冷蔵庫引き出し９００は、さらに、前記ボックス１のトップを被覆してボックス１を密閉箱１００とするカバー２と、前記ボックス１およびカバー２の間に位置するシールリング４とを有する。本発明では、前記密閉箱１００を重点的に説明する。
【００１８】
図２から図９に示すように、本発明の密閉箱１００の第１実施形態において、前記密閉箱１００は、上方へ開口する収容キャビティ１０と、前記冷蔵庫引き出し９００のパネル９１の後側であって前記収容キャビティ１０の前側に位置する前壁１１と、前壁１１の両側から後方へ延在して前記収容キャビティ１０の両側に位置する２つの側壁１２と、前記収容キャビティ１０の後側に位置する後壁１３と、前記収容キャビティ１０の底部に位置する底壁１４とを有する。前記ボックス１は、さらに、前記前壁１１のトップの前側に位置し、且つ前方へ突起するように構成される２つの収納部１１１を有する。前記収納部１１１は、後方へ開口する収容キャビティである。前記２つの側壁１２は、トップのサイドに、前記冷蔵庫引き出し９００の前後方向に沿って延在するスライド溝１２１がそれぞれ設けられる。２つの側壁１２上に設けられる２つの前記スライド溝１２１が互いに対応し、対称となっている。
【００１９】
図２から図６に示すように、前記カバー２は、前記ボックス１の上に取り付けられるボックスカバー２１と、前記ボックスカバー２１の先端に固定されるトップカバー２２とを有する。前記ボックスカバー２１は、前記収容キャビティ１０の上を被覆する平板状の第１ボディ２３と、第１ボディ２３の両側から外へさらに下方へ折り曲げて成された２つの第１側板２４と、第１ボディ２３の最先端から前方へ水平に延在して成された固定板２５とを有する。前記２つの第１側板２４は、前記ボックス１の２つの側壁１２の外側に位置して前記スライド溝１２１を遮る。前記固定板２５は、頂面２５１と、前記固定板２５の先端に位置し且つ前記頂面２５１から下方へ凹んでなされた２つの平行し合う案内溝２５２と、各前記案内溝２５２の両側にそれぞれ設けられる複数の固定柱２５３とを有する。前記固定板２５の頂面２５１は、前記第１ボディ２３の頂面よりも低い。こうして、前記トップカバー２２が前記固定板２５上に固定された後、前記トップカバー２２と固定板２５の間では、上下方向に沿ってある程度の高さを有するスペースが形成される。２つの前記第１側板２４が向かい合う内側では、前記ボディ２３の後端に、前記第１側板２４上に固定される後方方向決めローラ２６が設けられる。前記カバー２が前記ボックス１上に取り付けられたとき、前記後方方向決めローラ２６が前記ボックス１の２つのスライド溝１２１内で前後にスライドすることで、前記カバー２は、それに連動して前記ボックス１に対して後方または前方へスライドする。
【００２０】
各前記案内溝２５２の両側の複数の前記固定柱２５３は、前後方向において２つの群に分けられる。第１群の前記固定柱２５３は、前記固定板２５の前部に設けられる。前記第１群の固定柱２５３は、左右方向に沿って前記案内溝２５２の両側に対称配置される２つの第１固定柱２５３を含む。第２群の前記固定柱２５３は、前記固定板２５の後部のうち前記第１ボディ２３寄りの箇所に存在する。前記第２群の固定柱２５３は、前記案内溝２５２の両側に対称配置される２つの第２固定柱２５３と、前記案内溝２５２の外側であって前記２つの第２固定柱２５３のうちの１つの第２固定柱の後側に位置する１つの第３固定柱２５３とを有する。
【００２１】
前記トップカバー２２は、前記固定板２５の上を被覆する。前記トップカバー２２は、平板状の第２ボディ２２１と、第２ボディ２２１の両側からそれぞれ外側へさらに下方へ折り曲げてなされた第２側板２２２と、前記トップカバー２２の後端に位置し、且つ後方へ傾斜するように延在してなされた延在壁２２３とを有する。前記第２ボディ部２２１は、その４つの角部のうち、前記第１ボディ２３に対応する各前記固定柱２５３に、上下に貫通するスルーホール２２４を設ける。中間箇所には、上下に貫通する位置退避ホール２２５が設けられる。前記トップカバー２２がネジ（符号付せず）により前記スルーホール２２４を通り抜けて前記固定柱２５３内に入ることで、前記トップカバー２２と前記ボックスカバー２１とが一緒に固定される。図７に示すように、前記トップカバー２２と前記固定板２５の頂面との間は、ある距離の間隔をあける。このようにして、前記固定板２５と前記トップカバー２２の間には、位置退避スペース（符号付せず）が形成され、前記位置退避スペースがさらに前記第２固定柱２５３と第３固定柱２５３の間で前後方向に沿うように位置制限されて、局所の位置制限スペース２２０が形成される。
【００２２】
図３から図５に示すように、前記密閉箱１００は、前記カバー２とボックス１の間に取り付けられるロック機構３をさらに備える。前記ロック機構３は、前記スライド溝１２１内スライド固定される押出部材３１と、前記押出部材３１上に回転固定される連接棒３２と、前記押出部材３１および前記連接棒３２を連動させて前から後へ前記スライド溝１２１内でスライドさせるスライド部材３３とを有する。
【００２３】
前記押出部材３１は、一体型のプッシュロッドである。前記プッシュロッド３１は、前記カバー２の固定板２５の上に位置するボディ３１１と、前記ボディ３１１両側から下方へ折り曲げて延在して前記ボックス１の２つの側壁１２の外側に位置する２つのハンギングウォール３１２とを有する。
【００２４】
図５に示すように、前記ボディ３１１の前側のエッジのうち、前記第１固定柱２５３に対応する箇所に、後方へ凹む複数の切欠口３１３が設けられる。前記ボディ３１１は、２つの前記切欠口３１３の間で、前方へ突起して前記収納部１１１内に入る突起ブロック３１４を有する。前記突起ブロック３１４のトップには、前記案内溝２５２の前後に沿って転がり可能な第１回転軸３１５がさらに取り付けられる。前記ボディ３１１は、その後側のエッジに、前記突起ブロック３１４に前後対応するように、前記案内溝２５２の前後に沿って転がり可能な第２回転軸３１６が取り付けられる。前記第１回転軸３１５および第２回転軸３１６の下半部は、前記案内溝２５２内に収容される。前記ボディ３１１の後側のエッジのうち、２つの前記第２回転軸３１６の間に、前記ボディ３１１の頂面から上方へ突起する押手部３１７が設けられる。前記押手部３１７は、上方へ前記トップカバー２２の位置退避ホール２２５を通り抜けて外部に露出する。
【００２５】
各前記ハンギングウォール３１２の底部に、前記ハンギングウォール３１２を左右に貫通する、且つ逆Ｌ型のように連通した案内溝３１８および位置制限溝３１９が設けられる。前記案内溝３１８は、前後方向に沿って延在し、且つ内外方向に前記ハンギングウォール３１２を貫通する。前記位置制限溝３１９は、上下方向に沿って延在し、且つ内外方向に前記ハンギングウォール３１２を貫通する。前記位置制限溝３１９のトップは、前記案内溝３１８の最先端に連通している。
【００２６】
図３および図７に示すように、前記連接棒３２は、前記ボックス１の幅方向に沿って前記位置制限スペース２２０内に収容される支持棒３２１と、支持棒３２１の両側から折り曲げてあるいは垂直に延在する２つのバネ付勢ロッド３２２とを有する。前記２つのバネ付勢ロッド３２２の末端は、それぞれ２つの前記ハンギングウォール３１２上に取り付けられる。前記ロック機構３は、前記支持棒３２１にスリーブ接続されるねじりばね３２３をさらに有する。前記ねじりばねは、前記トップカバー２の延在壁２２３の内側に弾性当接される２つの弾性アーム３２３１を有する。
【００２７】
前記スライド部材３３は、前記位置制限溝３１９内に取り付けられる第１プーリーホイール（符号付せず）と、前記案内溝３１８内に取り付けられる第２プーリーホイール（符号付せず）とを有する。前記第１プーリーホイールは、前方方向決めローラ３３１と、固定輪３３２と、前記前方方向決めローラ３３１および固定輪３３２の中心を貫通する第１シャフト３３３とを含む。前記前方方向決めローラ３３１と前記固定輪３３２とが間隔をあけて係止部３３４を形成する。前記第１シャフト３３３が外へ前記位置制限溝３１９を通り抜けることで、前記前方方向決めローラ３３１は、前記ハンギングウォール３１２と前記スライド溝１２１の底壁との間に挟持され得る。前記ハンギングウォール３１２は、前記第２側板２２２の内側に位置する。
【００２８】
前記第２プーリーホイールには、従動ローラ３３５と、前記従動ローラ３３５を貫通する軸キャビティ（符号付せず）とが設けられる。前記従動ローラ３３５のエッジが前記係止部３３４内に係止され、前記連接棒３２のバネ付勢ロッド３２２の末端が前記案内溝３１８を通り抜けて前記従動ローラ３３５の軸キャビティ内に収容される。その際、前記連接棒３２の支持棒３２１は、前記軸キャビティの所在する軸心線周りに回転可能である。前記前方方向決めローラ３３１、従動ローラ３３５および前記固定輪３３２は、内から外へ順に前記ハンギングウォール３１２の内側に配列される。前記従動ローラ３３５は、前記第１シャフト３３３を軸心として、前記前方方向決めローラ３３１に対して反時計回りに回転することができる。
【００２９】
図９に示すように、本発明の冷蔵庫引き出し９００が冷蔵庫の内箱から引っ張られた後で前記密閉箱１００を開放させる必要が生じるとき、利用者が外部に露出する押手部３１７をプッシュすることで前記第１回転軸３１５および第２回転軸３１６を前記カバー２の案内溝２５２に沿って後方へ転がさせ、さらに前記ボディ部３１１およびハンギングウォール３１２を連動させて前記案内溝３１８の延在方向に沿って前方へ前記案内溝３１８と前記位置制限溝３１９との境界箇所まで移動させる。それと同時に、前記連接棒３２の支持棒３２１が前記位置制限スペース２２０内で上下方向に沿って上方へスライドして前記トップカバー２２の第２ボディ２２１の底面に当接し、且つ前記バネ付勢ロッド３２２が既に元の後傾状態から垂直状態に変わっている。そして、前記第１回転軸３１５および前記突起ブロック３１４が既に前記案内溝２５２に沿って後方へスライドし、前記ボックス１の収納部１１１から退出する。前記押手部３１７を引き続き後方へ押すとき、前記バネ付勢ロッド３２２がもう前記案内溝３１８に対して前方へ運動できない。その際、前記従動ローラ３３５が前記前方方向決めローラ３３１に対して逆方向に回転運動し、前記バネ付勢ロッド３２２の末端が前記位置制限溝３１９に入り、前記固定輪３３２が前記従動ローラ３３５に対して上方への支持力を与えることで、前記バネ付勢ロッド３２２が上方へ前記支持棒３２１を持ち上げるように駆動し、前記支持棒３２１のねじりばね３２３に前記カバー２を上方へ持ち上げさせ、さらに前記カバー２を前記ボックス１と分離させる。引き続き後方へ前記押手部３１７を押すと、前記カバー２が前記後方方向決めローラ２６を通って前記スライド溝１２１内で後方へスライドして徐々に前記ボックス１と分離していき、さらに前記収容キャビティ１０を空気に露出させる。閉鎖やロック手順は、逆である。
【００３０】
図１０に示すように、本発明の密閉箱１００’の第２実施形態において、前記密閉箱１００’の構造は、第１実施形態における密閉箱１００の構造と大体同じであり、主な区別がロック機構（符号付せず）にある。ここで、密閉箱１００’のほかの構造について贅言せず、前記ロック機構のみを説明する。前記ロック機構は、前記スライド溝１２１’内にスライド固定される押出部材３１’と、前記押出部材３１’上に回転固定される連接棒３２’と、前記押出部材３１’および前記連接棒３２’が前から後ろへ前記スライド溝１２１’内でスライドするように駆動するスライド部材３３’とを有する。
【００３１】
図６と図１０に示すように、図１０における第２実施形態の密閉箱１００’の前記連接棒３２’、スライド部材３３’の構造は、図６における第１実施形態の密閉箱１００の構造と大体同じであり、その区別が下記のようになる。つまり、第２実施形態の密閉箱１００’の前記ロック機構は、トップカバー２２’に設けられる電動駆動構造５’と、前記電動駆動構造５’に電気的に接続されるスイッチキー６’とをさらに有し、前記押出部材３１’に押手部が配置されておらず、その代わりに、前記押出部材３１’のボディ３１１’の後側のエッジにボディ３１１’と固定されるラック３１７’が設けられ、前記ラック３１７’が前記電動駆動構造５’に噛み合い接続される。前記電動駆動構造５は、電気式制御プログラムを内蔵してもよいし、密閉箱１００’に内蔵された電気式制御プログラムと電気的に接続されてもよい。前記密閉箱１００’を開放させる必要が生じるとき、オンオフキー６’を押下すると、前記電動駆動構造５’が電源を入れて運転し、前記ラック３１７’が後方へ運動するように駆動することで、前記押出部材３１’を連動させて後方へスライドさせる。電気式制御で予め設定されたプログラムによれば、前記連接棒３２’のバネ付勢ロッド３２２’の末端が前記逆Ｌ型の案内溝３１８’および前記位置制限溝３１９’を歩き終えると、その際、前記カバー２が前記連接棒３２’の支持棒３２１’によって上方へ持ち上げられ、前記密閉箱１００’が弛緩状態になるため、カバー２’を軽く押すだけで前記密閉箱１００’を開放させることができる。逆に、密閉箱１００’をロックする必要がある場合、前記押出部材３１’の突起ブロック３１４’が前記収納部１１１’内に入ったとき、前記スイッチキー６’を押下し、前記電動駆動構造５’が逆方向で前記ラック３１７’を連れて前方へ移動させ、前記電気式制御プログラムに従ってＬ型距離を歩き終えさせることで、前記支持棒３２１が回転して前記カバー２を下ろすため、前記密閉箱１００’がロックされる。
【００３２】
このように、本発明の第２実施形態の密閉箱１００’は、第１実施形態に加えて、前記押出部材３１が前方へスライドするように手動で駆動することに代えて、前記押出部材３１’が前方へスライドするように電動駆動機構５’が電動駆動することで、密閉箱１００’が第１実施形態の密閉箱１００に加えてアンロックと閉鎖の自動化が実現でき、利用もより便利になる。
【００３３】
図１１から図２１を参照し、図１を組み合わせると、本発明の冷蔵庫引き出し９００は、さらに、第１実施形態における前記密閉箱１００のカバー１と前記冷蔵庫内箱の間に、冷蔵庫内箱に固定される仕切り板７、７’および８が増設されてもよい。前記仕切り板７、７’および８と前記密閉箱１００とが共同して第１実施形態の密閉箱ユニット２００、第２実施形態の密閉箱ユニット２００’および第３実施形態の密閉箱ユニット３００をなす。
【００３４】
図１１から図１３は、第１実施形態の密閉箱ユニット２００を示す。前記仕切り板７が平板状のプレートであり、前記密閉箱１００のカバー２の上方に平行配置される。前記仕切り板７は、前記押手部３１７寄りの箇所に、上下に貫通する開口７１と、前記開口７１の両側から上方へ垂直延在する２つのウォール７２と、前記２つのウォール７２をそれぞれ貫通する２つの取り付け穴７３と、前記仕切り板７から上方および後方へ傾斜延在し、且つ２つのウォール７２に左右接続される第２傾斜壁７４とを有し、前記取り付け穴７３が前記仕切り板７の上方に位置する。前記第２傾斜壁７４と２つのウォール７２とが位置退避部７０をなす。
【００３５】
前記仕切り板７は、阻止部材７５をさらに備え、前記阻止部材７５は、両側に位置して垂直延在する２つの取付壁７５１と、前記取付壁７５１の前側に位置し、且つ前記取付壁７５１に左右接続される第１傾斜壁７５２と、２つの取付壁７５１の後側に位置し、且つ２つの取付壁７５１に接続される後壁７５３と、各取付壁７５１の外側から外へ垂直突起する取付柱７５４とを有する。前記取付柱７５４は、前記取り付け穴７３内に取り付けられる。前記阻止部材７５は、前記取付柱７５４の所在する軸線回りに前記開口７１内で上下回転して、前記第２傾斜壁７４と２つのウォール７２の間の前記位置退避部７０内に収容可能である。前記取付壁７５１のトップには、外へ突起するボス７５１１がさらに設けられる。前記ボス７５１１が前記開口７１の上方に位置し、前記仕切り板７の頂面によって上方へ持ち上げられることで、前記阻止部材７５を前記開口７１内に位置決めする。こうして、前記阻止部材７５が下方へ前記仕切り板７から離脱することはない。前記第１傾斜壁７５２の外側面が第１阻止面であり、前記第１阻止面は、前から後へ、且つ下から上へ延在する。前記後壁７５３の外側面が第２阻止面であり、前記第２阻止面が垂直延在する。前記取付柱７５４にさらにばね７５５がスリーブ接続される。前記ばねの両側は、下方および上方へ延び出す第１弾性アーム７５５１および第２弾性アーム７５５２をそれぞれ有する。本実施形態における前記ばね７５５がねじりばねとして動作する。
【００３６】
冷蔵庫引き出し９００が閉鎖状態であるとき、前記仕切り板７の阻止部材７５が前記押手部３１７の後方に位置し、前記第１傾斜壁７５１の第１阻止面が前記押手部３１７へ向かう。前記冷蔵庫引き出し９００を後方へ少し押すと、前記押手部３１７が前記第１阻止面上に当接し、前記阻止部材７５が上方へ持ち上げられ、前記阻止部材７５が上方へ行って前記開口７１の上方の位置退避部７０内に収束するまで、前記阻止部材７５が前記取付柱７５４回りに回転する。その際、前記第１弾性アーム７５５１が前記第１傾斜壁７５１をプッシュし、前記第２弾性アーム７５５２が前記第２傾斜壁７４をプッシュする。前記押手部３１７が前記阻止部材７５を行き過ぎた後、前記阻止部材７５は、自身の重力と前記ばね７５５の第１、第２弾性アーム７５５１、７５５２のプッシュの働きとにより、下方へ前記ボス７５１１まで帰還して前記仕切り板７の頂面によって支持される。その際、前記第２阻止面が前記押手部３１７の前側に位置する。消費者が密閉箱１００を開放させる必要が生じるとき、前記冷蔵庫引き出し９００を外側へ引っ張るだけで、前記阻止部材７５が前記押手部３１７をプッシュして、前記カバー２と前記仕切り板７とが相対的に静止するように、前記冷蔵庫引き出し９００のボックス１が外に引き出されるため、前記冷蔵庫引き出し９００が開放される。後で前記カバー２を整理する必要がある場合、前記阻止部材７５を上方へプッシュすることで前記阻止部材７５を上方へ前記位置退避部７０内に圧縮させて、それから前記カバー２を引っ張ればよい。
【００３７】
このように、前記冷蔵庫引き出し９００は、前記密閉箱１００と前記冷蔵庫内箱の間に仕切り板７を増設して密閉箱ユニット２００を成して、前記仕切り板７のうち、前記押手部３１７に対応する箇所に、上下に伸縮可能な阻止部材７５を設置する。押手部３１７が当該阻止部材７５の第１阻止面７５２をプッシュするとき、前記阻止部材７５を上方へ圧縮することで、押手部３１７が阻止部材７５を通り越す。その後、前記阻止部材７５が自身の重力およびばねの働きで下方へ跳ね返ることで、阻止部材７５の第２阻止面７５３が前記押手部３１７の前側になり、前記押手部３１７に対して逆方向プッシュする。こうして、当該密閉箱１００が冷蔵庫内箱から外へ引っ張られるとき、前記ボックス１が引っ張られるが、前記カバー２のプッシュが前記阻止部材７５によって阻止されて仕切り板７に対して静止するため、冷蔵庫引き出し９００自身の機構を利用して密閉箱１００を自動的に開放させる目的がさらに達成される。
【００３８】
図１４から図１７に示す密閉箱ユニット２００’の第２実施形態を参照すると、本実施形態における密閉箱ユニット２００’が図１１から図１３に示す密閉箱ユニット２００に比べて、その区別が仕切り板７’の構造にあるため、仕切り板７’のみについて説明する。前記仕切り板７’は、平板状のプレートであり、前記密閉箱１００のカバー２の上方に平行配置される。前記仕切り板７’は、前記押手部３１７寄りの箇所に、上下に貫通する開口７１’と、前記開口７１’の上方に位置する２つの取り付け穴（符号付せず）と、前記開口７１’内に回転取り付けられる阻止部材７５’とを有する。前記阻止部材７５’は、前から後へ、且つ上から下へ延在する第１阻止面７５２’と、前記第１阻止面７５２’に対向する裏面７５３’と、前記阻止部材７５’の両側に位置する取付柱７５４’とを有する。前記取付柱７５４’は、前記取り付け穴（符号付せず）内に回転取り付けられる。前記押手部３１７は、前記第１阻止面７５２’の前側に位置する。前記仕切り板７’は、前記開口７１’内に収容され、且つ一方側が前記裏面７５３’上に固定される弾性伸縮部材７５５’と、前記開口７１’の上方に位置し、前から後へ且つ上から下へ延在して前記仕切り板７’に接続される傾斜板７４’とをさらに有する。前記弾性伸縮部材７５５’の他方側は、前記傾斜板７４’上に固定される。前記傾斜板７４’の前記開口７１’へ向かう側に、前記開口７１’へ突起する突起柱７６’が設けられる。前記弾性伸縮部材７５５’は、前記傾斜板７４’の一方側に固定され、前記突起柱７６’にスリーブ接続される。本実施形態における前記弾性伸縮部材７５５’は、押しばねであり、ばね自身の圧縮および跳ね返りを利用して動作する。前記押手部３１７が後方へ且つ上方へ前記阻止部材７５’をプッシュするとき、前記阻止部材７５’は、前記弾性伸縮部材７５５’を上方へ押圧して前記開口７１’内に入る。前記押手部３１７が前記阻止部材７５’の自由末端を通り過ぎた後、前記阻止部材７５’が弾性で下方へ跳ね返り、その際の前記押手部３１７が前記裏面７５３’の後側に位置する。
【００３９】
このように、前記冷蔵庫引き出し９００は、前記密閉箱１００と前記冷蔵庫内箱の間に仕切り板７’を増設して密閉箱ユニット２００’を成し、前記仕切り板７’のうち、前記押手部３１７に対応する箇所に、上下に伸縮可能な阻止部材７５’を設置する。押手部３１７’が当該阻止部材７５’をプッシュするとき、前記阻止部材７５’の弾性伸縮機能により、押手部３１７が阻止部材７５’を通り過ぎて阻止部材７５’の裏面７５３’によって逆方向プッシュされるため、当該密閉箱１００が冷蔵庫内箱から外へ引っ張られるときに、阻止部材７５’を利用して押手部３１７を阻止する。こうして、密閉箱１００のボックス１が前記カバー２に対して外へ退出して、密閉箱１００を開放させる目的が達成される。よって、密閉箱１００が前記仕切り板７’に係合して自動的に開放され得る。
【００４０】
図２０から図２１は、第３実施形態の密閉箱ユニット３００を示す。本実施形態における密閉箱ユニット３００は、図１１から図１９に示す密閉箱ユニット２００、２００’に比べると、その区別が仕切り板８の構造にあるため、ここで仕切り板８のみについて説明する。前記仕切り板８は、平板状のプレートであり、前記密閉箱１００のカバー２の上方に平行配置される。前記仕切り板８は、前記押手部３１７寄りの箇所に、上下に貫通する開口８１と、前記開口８１の周りから上方へ垂直延在する第１立方体（符号付せず）と、前記第１立方体内に位置する第１収容室８０と、前記第１収容室８０に取り付けられ、且つ前記仕切り板８の下方に露出する阻止部材９とを有する。
【００４１】
前記第１収容室８０は、前記開口８１と連通している。前記第１立方体は、垂直延在して前記第１収容室８０の両側に位置する２つの第１ウォール８２と、２つの第１ウォール８２の内側面からそれぞれ凹んでなされた２つのハート型溝８３とを有する。前記２つのハート型溝８３は、ミラー対称である。前記ハート型溝８３のそれぞれは、底部に位置する第１位置決め部８３１と、第１位置決め部８３１から後方へさらに上方へ延在する第１案内溝８３２と、第１位置決め部８３１から前方へさらに上方へ延在する第２案内溝８３３と、第１案内溝８３２と第２案内溝８３３のトップとの連接箇所に位置する第２位置決め部８３４とを有する。前記第２位置決め部８３４は、前記ハート型溝８３のトップのハート型連接箇所に位置する。
【００４２】
前記阻止部材９は、前記第１立方体に対応する第２立方体（符号付せず）と、第２立方体内に位置する第２収容室９０と、第２収容室９０内に取り付けられるばね９１とを有する。前記第２立方体は、第１立方体の縮小版であるため、第１立方体の第１収容室８０内に収容可能である。前記第２立方体は、前記２つの第１ウォール８２に対応する２つの第２ウォール９２と、第２立方体の底部に位置し、前記２つの第２ウォール９２に左右接続される底壁９３とを有する。各前記第２ウォール９２上には、外へ突起して前記ハート型溝８３内に取り付けられる回転軸９２１が設けられる。前記底壁９３の前記第２収容室９０へ向かう側に、上方へ突起し、前記ばね９１を位置決めするための立柱９３１が設けられる。
【００４３】
本実施形態において、冷蔵庫引き出し９００が冷蔵庫内箱の閉鎖状態であるとき、前記阻止部材９は、前記押手部３１７の後側に位置する。前記第２立方体の回転軸９２１が前記ハート型溝８３の第１位置決め部８３１内に収容され、前記ばね９１が上下方向に沿った弛緩状態である。利用者が冷蔵庫引き出しを開放させて密閉箱１００をアンロックする必要が生じるとき、まず、前記押手部３１７のトップが前記阻止部材９の第２立方体の下端に当接するまで、前記冷蔵庫引き出し９００を後方へすこしプッシュする。その際、押圧力の働きで、前記第２立方体が上方へ運動し、前記回転軸９２１が第１位置決め部８３１から後方へ且つ上方へ運動し、前記第２位置決め部８３４内に進入するまで前記ハート型溝８３の第１案内溝８３２に沿って上方へスライドする。前記第２立方体が前記第１立方体の第１収容室８０内に収容される。その際、前記押出部材３１７が前記阻止部材９の当初所在する位置を通り越して引き続いて後方へ運動する。それから、外部が前記阻止部材９の底壁９３に対して引き続いて上方へ力を加え、前記回転軸９２１は、前記第２位置決め部８３４から引き続いて前記第２案内溝８３３に沿って前方へ且つ下方へスライドして第１位置決め部８３１内に下落する。その際、前記阻止部材９が前記ばね９１のプッシュのもとで前記開口８１内から下方へ前記仕切り板８を通り越して帰還に至ることで、前記押手部３１７が前記阻止部材の9の後側（図２０参照）になる。こうして、前記阻止部材９が押手部３１７に対する阻止をなす。利用者が前記密閉箱１００を外に引っ張るとき、前記カバー２が前記阻止部材９によって阻止されて移動せず、前記ボックス１が外へ滑り出すため、前記冷蔵庫引き出し９００および前記密閉箱１００の開放が実現する。
【００４４】
本実施形態の密閉箱ユニット３００と、第１、第２実施形態の密閉箱ユニット２００、２００’との区別は、本実施形態における阻止部材９が第２位置決め部８３４内に位置決めされた後、外力を加えないと阻止部材９が下方へ帰還できないことにある。阻止部材９に外力を加えないと、密閉箱１００が機械的に開放する方式である。外力で押下した後、密閉箱１００が自動的に開放され得る。
【００４５】
このように、前記冷蔵庫引き出し９００は、前記密閉箱１００と前記冷蔵庫内箱の間に仕切り板８を増設して密閉箱ユニット３００を成し、前記仕切り板８のうち、前記押手部３１７に対応する箇所に、上下に伸縮可能な阻止部材９を設置する。押手部３１７が当該阻止部材9をプッシュするとき、前記阻止部材９の操作可能な上方への圧縮と下方への帰還とにより、押手部３１７が阻止部材９を通り過ぎて阻止部材９によって逆方向プッシュされるため、当該密閉箱１００が冷蔵庫内箱から外へ引き出されたときに、阻止部材９を利用して押手部３１７を阻止する。こうして、当該密閉箱１００のボックス１が前記カバー２に対して外へ退出して、密閉箱１００を開放させる目的が達成される。よって、密閉箱１００が前記仕切り板８に係合して自動的に開放され得る。
【００４６】
上述した実施例が単に本発明を説明するためのものであり、あえて本発明に記述された解決手段を制限しない。本明細書に対する理解は、当業者の理解に準ずるべきである。例えば、「前後に貫通する」は、他の部品が取り付けられるまでに貫通することを意味する。さらに例えば、「前」、「後」、「左」、「右」、「上」、「下」等の方向性の記述は、本明細書の上記実施例に従って本発明を詳細に説明したが、当業者であれば理解できるように、当業者が本発明に対して補正し、または均等物による置換を行ってもよい。本発明の要旨や範囲から逸脱しない如何なる解決手段およびその改良も、本発明の特許請求の範囲内に収まる。
【図１】
0006649407.tif 000002
【図２】
0006649407.tif 000003
【図３】
0006649407.tif 000004
【図４】
0006649407.tif 000005
【図５】
0006649407.tif 000006
【図６】
0006649407.tif 000007
【図７】
0006649407.tif 000008
【図８】
0006649407.tif 000009
【図９】
0006649407.tif 000010
【図１０】
0006649407.tif 000011
【図１１】
0006649407.tif 000012
【図１２】
0006649407.tif 000013
【図１３】
0006649407.tif 000014
【図１４】
0006649407.tif 000015
【図１５】
0006649407.tif 000016
【図１６】
0006649407.tif 000017
【図１７】
0006649407.tif 000018
【図１８】
0006649407.tif 000019
【図１９】
0006649407.tif 000020
【図２０】
0006649407.tif 000021
【図２１】
0006649407.tif 000022